(57)【要約】      （修正有）【課題】ガラスはめ込み防火ドアを提供する。【解決手段】ガラスはめ込み防火ドア１０は、ガラス８０を保持する互いに接合した２個のガラス保持フレーム４１，４２、およびガラス８０を固定し、支えるための鉄製ガラス固定部品３０を有する。火事の際、このガラス固定部品３０はガラス８０が外れるのを防止して、優れた耐火性を有する防火ドア１０を保証する。【選択図】図２
0003202964.tif 000002
【実用新案登録請求の範囲】
【請求項１】
パーライトボードを収容する、またはポリウレタン（ＰＵ）フォームもしくはフェノールフォームで充填された内部を有するガラスはめ込み防火ドアであって、
少なくとも１枚のガラスと、
ＳＭＣ複合材または繊維強化プラスチック（ＦＲＰ）製で、前記防火ドアの表ドア外板および裏ドア外板をそれぞれ形成する２枚のドア外板であって、前記表裏ドア外板のそれぞれは前記ガラスを受ける中空部分を有する、２枚のドア外板と、
金属、木またはプラスチック製で、上框部材、下框部材、左縦框部材および右縦框部材から形成され、それぞれ前記表ドア外板および前記裏ドア外板間で４辺として組み立てられるフレームアセンブリと、
鉄製で、前記ガラスを固定する前記表裏ドア外板の前記中空部分の縁に固定されるガラス固定部品と、
構造的に同一であり、互いに接合される、金属、木またはプラスチック製の２枚のガラス保持フレームであって、前記２枚のガラス保持フレームは、前記ガラス固定部品が前記ガラスを固定するのを妨げることなく、前記ガラスを固定する前記表ドア外板および裏ドア外板の前記中空部分で組み立てられるように形成される、２枚のガラス保持フレームと、を含む、
ガラスはめ込み防火ドア。
【請求項２】
前記ガラス固定部品は、前記ガラスを支える台座として作用し、前記表ドア外板および前記裏ドア外板の前記中空部分の縁にまたがる固定クランプと、前記固定クランプと共に機能して適切な位置に連帯して前記ガラスを固定するために、前記固定クランプと取り外し可能に組み合わされる取り外し式インサートと、を含む組立部品であることを特徴とする、請求項１に記載のガラスはめ込み防火ドア。
【請求項３】
各ドア外板はガラス繊維布、炭素繊維布またはロービング織物を含有するＳＭＣ複合材製であることを特徴とする、請求項１に記載のガラスはめ込み防火ドア。
【請求項４】
前記フレームアセンブリは、鋼板、アルミ板、繊維ガラス板、木板またはプラスチック板製で、前記上框部材、下框部材、左縦框部材および右縦框部材のうちの１つに支持された、少なくとも１つの補強材を有することを特徴とする、請求項１または２に記載のガラスはめ込み防火ドア。
【請求項５】
前記フレームアセンブリは、前記補強材にその側面から貼り付けた鉄製補助プレートをさらに含むことを特徴とする、請求項４に記載のガラスはめ込み防火ドア。
【請求項６】
前記フレームアセンブリは、前記左縦框部材または前記右縦框部材の外縁に取り付けた少なくとも１つの飾り片を含むことを特徴とする、請求項４に記載のガラスはめ込み防火ドア。
【考案の詳細な説明】
【技術分野】
【０００１】
本考案は防火ドアに関し、さらに詳細には、ガラスがはめ込まれた防火ドアに関する。
【背景技術】
【０００２】
一般的によく知られている周知のガラスはめ込み防火ドアは、ドアパネルにおいて共に相対して組み立てられ、さらにガラスをそのドアパネルにとどめる２個の同じガラス保持フレームを使用するものである。
【０００３】
しかしながら、可燃材料製のガラス保持フレームは、火事の際、熱効果により脆化しやすく、より深刻なことに、ガラス保持フレームによる支持を失えば、ガラスはドアパネルから落下することになり、ガラスが落下した場所を通して炎がドアパネルに侵入し、防火ドアが火のまわりを遅らせる防壁としての機能を失う原因となっていた。
【考案の概要】
【考案が解決しようとする課題】
【０００４】
本考案は、火事の場合以下の利点があるガラスはめ込み防火ドアを提供する。
１．火事の間にガラスが防火ドアから外れるのを防止する。
２．炎が防火ドアを通過することを効果的に阻止し、遅らせる。
【図面の簡単な説明】
【０００５】
【図１】２か所の隅が表ドア外板から切り取られた状態の本考案によるガラスはめ込み防火ドアの斜視図である。
【図２】図１のガラスはめ込み防火ドアの分解図である。
【図３】図１のガラスはめ込み防火ドアの拡大、部分、切取内部図を示す。
【考案を実施するための形態】
【０００６】
図１から図３に示すように、本考案のラスはめ込み防火ドア１０（以下、ドアパネル１０と呼ぶ）は、表ドア外板１１、裏ドア外板１２、フレームアセンブリ２０、少なくとも１（１を含む）組のガラス固定部品３０、互いに接合した２個の構造的に同一のガラス保持フレーム４１、４２、少なくとも１（１を含む）枚のガラス８０および防火芯材９０を含む。
【０００７】
表ドア外板１１および裏ドア外板１２は、シート成形化合物（ＳＭＣ）製の構造的に同一の部材であり、それぞれ少なくとも１（１を含む）つの中空部分１５を有する。組み立て後、表ドア外板１１および裏ドア外板１２は、それぞれドアパネル１０の表ドア外板および裏ドア外板を形成する。表裏ドア外板１１、１２の中空部分１５は、ガラス固定部品３０および互いに接合された２個のガラス保持フレーム４１、４２を受けるように形成され、これにより、ガラス８０を適切な位置に保持する。
【０００８】
表ドア外板１１および裏ドア外板１２は、ＳＭＣ複合材または繊維強化プラスチック（ＦＲＰ）製でよく、それぞれ装飾木目の有無を問わず滑らかな外表面および粗い内表面を有し、粗い内表面は接着剤接合を容易にする適当な摩擦を付与する。ドアパネル１０に優れた耐衝撃性および耐火性を付与するため、ＳＭＣ複合材はガラス繊維布、炭素繊維布またはロービング織物を含有してよい。表裏ドア外板１１、１２はそれぞれ、１〜４ｍｍの厚みを有することが好ましい。
【０００９】
フレームアセンブリ２０は、表ドア外板１１および裏ドア外板１２間で上部フレーム部材、下部フレーム部材、左フレーム部材および右フレーム部材を含む４辺として形を成すように接着剤で接合された、それぞれ上框部材２１、下框部材２２、左縦框部材２３および右縦框部材２４で構成される。フレームアセンブリ２０は、金属、木またはプラスチック製でよい。
【００１０】
別の実施形態において、ドアパネル１０を構造的に強化するため、フレームアセンブリ２０は、少なくとも１つ（１つを含む）の補強材２５を有することが好ましく、この補強材２５は上框部材２１、下框部材２２、左縦框部材２３および／または右縦框部材２４に固定される。
【００１１】
補強材２５は、鋼板、アルミ板、繊維ガラス板、木板またはプラスチック板製でよい。
【００１２】
図１および図２に示すように、フレームアセンブリ２０は、ドアパネル１０の優れた曲げ強度を保証するため、補強材２５に側面から貼り付けた鉄製補助プレート２８をさらに含んでよい。
【００１３】
図２および図３に示すように、ガラス固定部品３０は金属製であり、鉄系薄板で作られることが好ましい。ガラス固定部品３０は、ガラス８０を固定および／または支えるため、表裏ドア外板１１、１２の中空部分１５の端に固定される。
【００１４】
ガラス固定部品３０は、単一体としてまたは組立部品として作られてもよいが、後者がより好ましい。組立部品であれば、ガラス固定部品３０は固定クランプ３１および取り外し式インサート３２で構成され、それぞれ鉄系薄板で作られる。取り外し式インサート３２は、固定クランプ３１に取り外し可能に組み合わされる。
【００１５】
組み立てるとき、ガラス固定部品３０の固定クランプ３１は、表裏ドア外板１１、１２間の連結としてだけでなく、ガラス８０を支える台座として機能するように、表裏ドア外板１１、１２の中空部分１５の縁間にまたがる。ガラス８０を固定クランプ３１に置いた後、ガラス８０をしっかりと位置させ、動かないようするため、取り外し式インサート３２を固定クランプ３１に組み合わせてガラス８０を固定する。
火事の際には、鉄製のガラス固定部品３０が、ガラス８０が外れるのを防止することにより、開示したドアパネル１０を無傷に保つ。つまりドアパネル１０の防火性は損なわれない。
【００１６】
図２および図３に示すように、ガラス保持フレーム４１、４２は、構造的に同一であり、ガラス８０を固定する表裏パネル１１、１２の中空部分１５で互いに接合するように形成される。ガラス保持フレーム４１、４２は、金属、木またはプラスチック製でよい。
【００１７】
好ましくは、ガラス保持フレーム４１、４２は雄ほぞ４３および雌ほぞ４４により実現する嵌め合わせ連結を用いて互いに接合してよい。さらに、ガラス保持フレーム４１、４２はそれぞれ、ガラス固定部品３１をぴったりと受けるため、少なくとも１つ（１つを含む）のノッチ４５を有する。その結果、ガラス８０を据え付けるとき、ガラス保持フレーム４１、４２およびガラス固定部品３０の両方により支持および保持される。
【００１８】
内部を有するドアパネル１０は、そこに据え付けた防火芯材９０を収容し、防火芯材９０はパーライトボード、またはドアパネル１０の内部を充填するポリウレタン（ＰＵ）フォームもしくはフェノールフォームでよい。
【００１９】
図１から図３に示すように、開示したドアパネル１０は、美的観点から、フレームアセンブリ２０の左縦框部材２３および／または右縦框部材２４の外縁に取り付けた飾り片２９をさらに有してよい。
【００２０】
開示したドアパネル１０をプッシュプルドア、スライドドアまたはパティオドアで用いてもよい。実用的には、ドアパネル１０のガラス８０を金属、木またはプラスチックの装飾パネルで置き換えてもよい。
【００２１】
このように、本考案のガラスはめ込み防火ドア１０は、火事の際にガラスがドアパネルから外れるのを防止し、さらに炎がそこを通過するのを阻止し、遅らせるのに効果的である。
【図１】
0003202964.tif 000003
【図２】
0003202964.tif 000004
【図３】
0003202964.tif 000005